(57)【特許請求の範囲】
【請求項１】
箱体と、該箱体を載置するパレットと、縦積みした複数の箱体同士、或いは最下部の箱体と上記パレットとを夫々連結する共通ジョイントと、を備えた梱包構造体であって、
上記箱体は、下面が開口した個装箱と、該個装箱の対向し合う２つの側面の下部に設けた少なくとも２つの下部係止穴と、該個装箱の他の対向し合う２つの側面の上部に設けた少なくとも２つの上部係止穴と、該個装箱の上記開口を閉止するように該個装箱下部に連結されるベースと、を備え、
上記ベースは、上記個装箱の上記開口を閉止する矩形の底板と、該底板の四辺に夫々上下方向へ折り曲げ自在に連結されたフラップと、を有し、上記フラップのうちの対向し合う２つのフラップは上向きの状態で上記個装箱の下部係止穴と整合する第１のフラップ側係止穴を夫々備え、対向し合う他の２つのフラップは下向きの状態で上記パレット側面に設けたパレット側係止穴、又は下方に位置する他の個装箱の上部係止穴と夫々整合する第２のフラップ側係止穴を備えていることを特徴とする梱包構造体。
【発明の詳細な説明】
【０００１】
【発明の属する技術分野】
本発明は、複写機、プリンタ、ファクシミリ等の電子機器や、中型、大型の一般機械、装置類を梱包する際に使用する段ボール箱、パレット等から成る梱包構造体に関する。
【０００２】
【従来の技術】
従来から電子機器、機械、装置類（以下、機器類と称する）を運搬に適した状態で梱包する場合には、加工が容易であり、且つ軽量、低コストな段ボール材から成る箱体、つまり段ボール箱が一般的に用いられている。
工場や倉庫等から中型、大型の機器類を出荷する際には、段ボール箱に梱包した機器類を、段ボール、木材等から成るパレット上に乗せた上でフォークリフト等を用いて車両等に移載する作業が行われるが、この際、一つのパレット上に複数の機器（段ボール箱）を縦に積み上げた状態で運搬することが行われる。このような運搬作業に用いるパレットを１／ｎパレットと称する。ここでｎが意味するものは、パレット上に積載可能な段ボール箱の個数である。
【０００３】
【発明が解決しようとする課題】
次に、図１の分解斜視図に基づいて従来の１／２パレットの構成を説明する。上述のように、１／２パレットとは１枚のパレットで機器類を収納した段ボール箱を２個縦積みし得る構造を備えたパレットのことである。従来、４０ｋｇ以上の重量を有した複写機、プリンター等をフォークリフト等で移動させる場合には、一枚のパレットで機器類を１台づつ運ぶのが普通であったが、この方法では作業効率が悪くコストが高くなるので、最近ではある拠点まで１枚のパレット上に２台の機器類を縦積みしてフォークリフトにより運んでから、拠点で２台を分離して車両に乗せて運搬し客先に届けるといった手順が踏まれる。運搬先でパレットを必要とする場合にはパレットを付けたままとし、不要な場合はパレットを除去して箱だけを置いて行く。上記拠点ではずされたパレットをリサイクル的に使用することも可能である。このように１／ｎパレットを用いて、コストを下げるための工夫が行われている。
【０００４】
図２の分解斜視図において上下位置関係で縦積みされる２つの箱体Ａ、Ｂは同一構成であり、符号Ａはこの箱体を分解した状態を示している。
まず、符号１は個装箱であり、これは通常の段ボール箱の底面だけを除去した形態の箱である。２は段ボール製のベースで、このベース２は底部２Ａと、フラップ２Ｂと、ベース上面に固定された発泡プラスチック緩衝材５とを有し、各緩衝材５の上に機器類が乗る形となる。各フラップ２Ｂには計４個の穴２ａが設けられており、フラップ２Ｂを内側に入れた状態で個装箱１をかぶせた時に個装箱１に設けられた穴１ａと穴２ａとの位置が合致するように構成されている。この穴１ａと穴２ａにジョイント３を差し込みロックすることにより個装箱１とベース２とを接合することができる。
この緩衝材５と、機器類上部と個装箱の内壁との隙間をうめる形で設けられた図示しない緩衝材とにより機器類を箱内にホールドされる。尚、ベース底面には段ボール板２ｂが２枚接着されており、２枚の段ボール板２ｂの配置間隔は、箱をパレット４上に乗せたときにパレットに設けられたガイド板４ａの外側に各段ボール板が位置するように設定し、太矢印方向へのズレを防止している。
【０００５】
上記従来例は次のような欠点を有している。
１．箱をパレットに単純に乗せただけの構成であるため、激しい荷扱いを受けると箱がパレットから外れ事故の原因となる。
２．従来は、下の箱Ａと上に乗せる箱Ｂの位置ズレを防ぐ為、両箱とパレットを束ねるストレッチフィルムを巻いているが、ストレッチフィルムは巻き付けるのに設備が必要となるため問題であり、また手巻きの場合は作業者が箱の回りをぐるぐる廻る必要が生じるなど作業がよくなく、締め付け力等がバラつき信頼性に欠ける。また、ストレッチフィルムは、これを一度外すと再使用が困難であり、ゴミとしてかさばる等の欠点がある。
また、段ボール箱とパレットを連結するのにＰＰバンド等のバンドを使用しても良いが、再梱包性が悪いため実用上の問題がある。
また、段ボール箱とパレットとを固定する為に、箱の内底面（ベース上面）に細長い木板を載置した上で、木板とベースとパレットを貫通するように釘を打ち込んで固定することも行われるが、固定作業が煩雑であるばかりでなく、箱をパレットから剥す作業が更に煩雑となる。
本発明は上記に鑑みてなされたものであり、パレット上に縦積み状態で、段ボール箱に収納した機器類を積載する際に、荷崩れが発生しないようにした梱包構造体を提供することを目的としている。
【０００６】
【課題を解決するための手段】
上記目的を達成する為、請求項１の発明は、箱体と、該箱体を載置するパレットと、縦積みした複数の箱体同士、或いは最下部の箱体と上記パレットとを夫々連結する共通ジョイントと、を備えた梱包構造体であって、上記箱体は、下面が開口した個装箱と、該個装箱の対向し合う２つの側面の下部に設けた少なくとも２つの下部係止穴と、該個装箱の他の対向し合う２つの側面の上部に設けた少なくとも２つの上部係止穴と、該個装箱の上記開口を閉止するように該個装箱下部に連結されるベースと、を備え、上記ベースは、上記個装箱の上記開口を閉止する矩形の底板と、該底板の四辺に夫々上下方向へ折り曲げ自在に連結されたフラップと、を有し、上記フラップのうちの対向し合う２つのフラップは上向きの状態で上記個装箱の下部係止穴と整合する第１のフラップ側係止穴を夫々備え、対向し合う他の２つのフラップは下向きの状態で上記パレット側面に設けたパレット側係止穴、又は下方に位置する他の個装箱の上部係止穴と夫々整合する第２のフラップ側係止穴を備えていることを特徴とする。
【０００７】
【発明の実施の形態】
以下、本発明を図面に示した形態例により詳細に説明する。図１は本発明の梱包構造体の一例の分解斜視図であり、この梱包構造体は、段ボール製の個装箱１１と、段ボール製のベース１２と、金属、樹脂等から成るジョイント（共通ジョイント）１３と、段ボール製のパレット１４と、発泡スチロール等からなる緩衝材１５と、で概略構成されている。
換言すれば、この梱包構造体は、縦積みされる複数の箱体Ａ、Ｂと、最下部の箱体Ｂを載置するパレット１４と、縦積みした複数の箱体Ａ、Ｂ同士、或いは最下部の箱体Ｂとパレット１４とを連結するジョイント１３と、を備えている。
図中の符号Ａは完成品として示した箱体であり、Ｂは分解図として示した箱体である。個装箱１１は、下面のみが開口した立方体状の箱であり、対向し合う２つの側面の下部には夫々少なくとも２つの係止穴（下部係止穴）１１ａが形成されている。この係止穴１１ａはジョイント（共通ジョイント）１３を用いてベース１２との間を固定する為に使用される。また、対向し合う他の２つ側壁（側面）の上部には夫々係止穴（上部係止穴）１１ｂが形成されている。この係止穴１１ｂは、上下位置関係で縦積みされた上側の箱体（のベース１２）との間をジョイント１３を用いて連結する為に使用する。ベース１２は、個装箱１１の下面の開口内に入り得る（該開口を閉止する）矩形の底板２０と、底板２０の四辺に夫々上下方向へ折り曲げ自在に連結されたフラップ２１、２２と、底板２０の四隅に夫々配置された緩衝材１５とを有し、対向し合う２つのフラップ２１には夫々個装箱１１の下部係止穴１１ａに整合する位置関係を備えた係止穴（第１のフラップ側係止穴）２１ａが形成される。また、対向し合う他の２つのフラップ２２には、夫々個装箱１１の上部係止穴１１ｂに整合する位置関係を備えた係止穴（第２のフラップ側係止穴）２２ａが形成されている。２つのフラップ２１は個装箱１１との連結用であり、他の２つのフラップ２２は下側に位置するパレット１４、或は下方に位置する箱体との連結用である。つまり、４枚のフラップ２１、２２のうちの対向し合う２つのフラップ２１は上向きの状態で個装箱の下部係止穴１１ａと整合する第１のフラップ側係止穴２１ａを夫々備え、対向し合う他の２つのフラップ２２は下向きの状態でパレット側面に設けたパレット側係止穴１４ａ、又は下方に位置する他の個装箱の上部係止穴１１ｂと夫々整合する第２のフラップ側係止穴２２ａを備えている。第２のフラップ側係止穴２２ａは、ベース１２の直下にパレット１４が位置する場合にはパレット側係止穴１４ａに対してジョイント１３により連結される一方で、ベース１２の直下に他の箱体が位置する場合には当該他の箱体の個装箱１１の上部係止穴１１ｂに対してジョイント１３により連結される。
【０００８】
パレット１４は、例えば段ボールシートを折り畳んで角材の如く成形した３本の芯材２５を所定の間隔をおいて配置し、各芯材２５の外側面を覆うように段ボールシート２６を被覆一体化した構成を有する。各芯材２５間の形成される２つの間隙内に図示しないフォークリフトの爪を差し込んで運搬する。パレット１４の対向し合う２つの側壁には夫々ベースの係止穴２２ａと整合する位置関係を有する２つの係止穴１４ａが形成されており、両係止穴同士をジョイント１３により係止する。
ジョイント１３は、例えば先端に軸方向へ延びるスリットを有した中空のビスであり、その内部に押し込み部材を配置した構成を有する。ビスを係止穴に差し込んだ状態で上記押し込み部材を押し込むとビス先端が拡開して係止穴の内壁に係着して固定を実現するように構成されている。
以上の構成を備えた箱体Ａ、Ｂをパレット１４上に縦積みする場合の組立手順を説明する前に、箱体を組み立てる際には、ベース１２の２つのフラップ２１を上方に折り曲げて立てると共に、他方の２つのフラップ２２を下方に折り曲げて垂下させる。
【０００９】
次に、箱体Ａ、Ｂをパレット１４上に縦積みする組立作業に際しては、Ｂに示した状態のベース１２上から個装箱１１をかぶせ、個装箱１１の側壁の内側にフラップ２１を位置させる。この状態に於て、各係止穴１１ａ，２１ａ同士が整合する為、両係止穴を連結するようにジョイント１３を差し込みロックする。機器類は予めベース上に載置しておくか、箱体の完成後に箱体上面を開放して収納する。このようにして組立を完了した固装箱１１はＡに示すように下方からベース１２のフラップ２２が垂れ下がった状態にあり、下側の箱体Ｂに関しては、垂れ下がったフラップ２２の係止穴２２ａをパレット１４の係止穴１４ａと整合させてジョイント１３でロックすることによりパレット１４と箱体Ｂとが連結される。また、上側の箱体Ａに関しては、垂れ下がったフラップ２２の係止穴２２ａを箱体Ｂの係止穴１１ｂと整合させてジョイント１３でロックすることにより両箱体Ａ、Ｂとが連結され、結果として全ての箱体Ａ、Ｂ、・・・が、パレットと連結されることとなり、荷崩れの発生を防止できる。
なお、各フラップ２１、２２の折り曲げ線は、必要に応じて上方向用と下方向用の２本の折り曲げ線を設けても良い。従って、パレットあるいは段ボール箱に連結する必要のない時は、フラップを内側に折り曲げれば通常の段ボール箱として使用できる。
【００１０】
以上のように本発明によれば、段ボールパレットにもジョイント用の係止穴１４ａを設けることにより、段ボール箱体Ａ，Ｂと段ボールパレット１４とをジョイント１３を用いて簡易に結合できるので、激しい荷扱いを受けても段ボール箱がパレット１４から脱落したり、段ボール箱が下側の段ボールから脱落することがない。また、パレットサイドにジョイント用の係止穴が設けてあるので、パレットに対する箱体の着脱が容易である。またジョイントの取付位置に制約が無く、しかもジョイントが外から見えるため、設計が自由であり、且つジョイント状態の良し悪しの確認が容易で、パレットに印刷等により指示を記載することができる。
また、上下位置関係にある段ボール箱をジョイントで連結できるのでストレッチフィルムを使用しなくて済み、再梱包性に優れている。
また、パレットあるいは段ボール箱に連結する必要のない時はフラップを内側に折り曲げれば通常の段ボール箱として使用できる。また、全てのジョイント部に共通のジョイントを使用できる。
なお、特開平５−１９３６４４号公報には、ベース底面とパレット上面をジョイントで結合する技術が開示されているが、この従来例は、機器類が乗るベース上面部分とジョイントの取付面とが重複する為、ジョイントの取付位置が制約され、また、箱を開けないとパレットを外せない、外部からジョイント状態の良し悪しを確認できない、という欠点を有する。また、この従来例は１／ｎパレットに関するものではなく、複数の箱体を荷崩れすることなく縦積みするための構成は一切開示されていない。
【００１１】
【発明の効果】
以上のように請求項１の発明によれば、段ボールパレットにもジョイント用の係止穴を設けることにより、段ボール箱体と段ボールパレットとをジョイントを用いて簡易に結合できるので、激しい荷扱いを受けても段ボール箱がパレットから脱落したり、段ボール箱が下側の段ボールから脱落することがない。また、パレットサイドにジョイント用の係止穴が設けてあるので箱の着脱が容易である。またジョイントが外から見えるため、ジョイント状態の良し悪しの確認が容易で、またパレットに印刷等の指示もできる。また、上下位置関係にある段ボール箱をジョイントで連結できるのでストレッチフィルムを使用しなくてすむ。また、再梱包性に優れている。また、パレットあるいは段ボール箱に連結する必要のない時はフラップを内側に折り曲げれば通常の段ボール箱として使用できる。また、全てのジョイント部に共通のジョイントを使用できる。
【図面の簡単な説明】
【図１】本発明の一形態例の梱包構造体の分解斜視図。
【図２】従来の梱包構造体の分解斜視図。
【符号の説明】
１１  個装箱、１１ａ，１１ｂ  係止穴、１２  ベース１２、１３  ジョイント、１４  パレット、１４ａ  係止穴、１５  緩衝材、Ａ、Ｂ  箱体、２０  底板、２１、２２  フラップ、２２ａ  係止穴、
【図１】
0003642645.tif 000002
【図２】
0003642645.tif 000003